(57)【要約】【課題】土間コンクリートに設けた筒体から排水しない建物基礎の排水構造を提供する。【解決手段】建物の周囲に設けた布基礎２と、この布基礎２の内側の地面を覆った土間コンクリート３とからなる建物基礎１である。布基礎２に内側から外側まで貫通した通孔２２を設ける。この通孔２２には、蓋体５を外側から着脱可能に取り付ける。【選択図】  図２
2005023587.tif 000002
【特許請求の範囲】
【請求項１】
建物の周囲に設けられた布基礎と、この布基礎の内側の地面を覆った土間コンクリートとからなる建物基礎の排水構造であって、前記布基礎には、内側から外側まで貫通した通孔が設けられ、この通孔には、蓋体が外側から着脱可能に取り付けられていることを特徴とする建物基礎の排水構造。
【請求項２】
前記土間コンクリートは、表面を布基礎の外側の地面より高くした状態に設けられ、前記通孔は、下側縁を土間コンクリートの表面と略同じ高さか若干低くした状態に設けられていることを特徴とする請求項１記載の建物基礎の排水構造。
【請求項３】
前記布基礎は、コンクリート製の基礎本体と、この基礎本体の内側に設けられた断熱材とからなることを特徴とする請求項１記載の建物基礎の排水構造。
【請求項４】
前記布基礎は、外側と内側に設けられた略平行な２枚の金属製の板体と、この２枚の金属製の板体の間に充填された断熱材とからなることを特徴とする請求項１記載の建物基礎の排水構造。
【発明の詳細な説明】
【０００１】
【発明の属する技術分野】
本発明は、建物の周囲に設けられた布基礎と、この布基礎の内側の地面を覆った土間コンクリートとからなる建物基礎の排水構造に関する。
【０００２】
【従来の技術】
住宅等の建物基礎には種々あるが、建物の周囲に設けられた布基礎だけで、この布基礎の内側の地面が露出している建物基礎と、建物の周囲に設けられた布基礎と、この布基礎の内側の地面をコンクリートで覆った土間コンクリートとからなる建物基礎が多く採用されている。
特に、後者の建物基礎は、建物の床下空間が地面に対して完全に隔離されているために地面から侵入する湿気や白蟻を防ぐことができ、極めて好ましい建物基礎である。
【０００３】
しかし、この建物基礎では、床下空間が布基礎と土間コンクリートで囲まれているために、土間コンクリートを施工後で、しかも、未だ建物が完成してないときに雨が降ったり、建物が完成した後に水害等があったりして、周囲に設けられた布基礎と、この布基礎の内側の地面を覆った土間コンクリートとで囲まれた床下空間に水が浸入することがあるが、かかるときには、この水が排出されず、いつまでも溜まった状態になり、建物が完成してないときには、建物の施工ができなくなるし、建物が完成しているときには、床下空間が、長時間、多湿状態になり建物が痛み易いという問題がある。
【０００４】
かかる問題を解決する建物基礎として、特許文献１に記載されている施工方法で施工した建物基礎や特許文献２に記載されている建物基礎が知られている。
即ち、特許文献１に記載されている施工方法は、排水管を略直立姿勢にし、且つ、この排水管の上端を土間コンクリートの設置レベルより高くした状態にして、地盤に埋設し、土間コンクリートを打設し、この土間コンクリートを養生した後に、土間コンクリートから突出している排水管の部分を除去し、この排水管の上面に開閉蓋を設けるものである。
【０００５】
この特許文献１に記載されている施工方法で施工した建物基礎では、常時、開閉蓋を閉じて、排水管の中を通って地盤から侵入する湿気や白蟻等を防ぎ、周囲の布基礎と土間コンクリートとで囲まれた床下空間の中に水が浸入したときには、この開閉蓋を開いて、水を排水管を通して地盤に吸収させるのである。
【０００６】
また、特許文献２に記載されている建物基礎は、土間コンクリートを貫通し、上端を土間コンクリートの上面と略同じ高さにし、下端を地盤に埋設した状態の筒状の本体筒部と、この本体筒部の上端を塞ぐ着脱自在に取り付けられた蓋部と、この本体筒部と蓋部の外周を囲んだ保護筒とからなるものである。
なお、この保護筒は本体筒部と蓋部に着脱自在に取り付けられている。
【０００７】
この保護筒は、土間コンクリートを設ける際に、コンクリートが本体筒部の中に侵入することを防ぐもので、施工後には、そのまま残していてもよいし、全部または一部を取り外してもよい。
この特許文献２に記載れさている建物基礎では、常時、蓋部を閉じていて、本体筒部の中を通って地盤から侵入する湿気や白蟻等を防ぎ、周囲の布基礎と土間コンクリートとで囲まれた床下空間の中に水が浸入したときには、この蓋部を開いて、水を本体筒部を通して地盤に吸収させるのである。
【０００８】
【特許文献１】
特開２０００−２８２４８３号公報
【特許文献２】
特開２００１−２２６９８３号公報
【０００９】
【発明が解決しようとする課題】
しかし、特許文献１に記載されている施工方法で施工した建物基礎や、特許文献２に記載されている建物基礎では、周囲の布基礎と土間コンクリートとで囲まれた床下空間の中に溜まった水を、排水管や本体筒部を通して排水するのであるが、その際、溜まっている水の中に手を入れて、蓋や蓋体を取り外す必要があり、不便である。特に、建物が完成した後に水害等があって水が溜まると、建物の床の下に手を差し入れ、蓋や蓋体を取り外す必要があり、更に、不便である。
しかも、蓋や蓋体を取り外す際に、蓋や蓋体には、溜まった水の水圧がかかっていて、蓋や蓋体が取り外し難い。
【００１０】
また、排水筒や本体筒部等の筒体が土間コンクリートを貫通していて、この筒体の中を通った水を地盤に吸収させているが、この土間コンクリートの下方の地盤によって排水の速度が異なる。
そして、例えば、地盤が粘度や岩盤のように不透水性であったり、雨水によって水が飽和しているとき等のように、排水速度が遅いときには、排水が進まず、長時間、水が溜まった状態になる。
【００１１】
従って、建物が完成してないときには、建物の施工期間が長くなるし、建物が完成しているときには、床下空間が、長時間、多湿状態になり建物が痛み易く、好ましくない。
そこで、この発明の目的は、土間コンクリートに設けた筒体から排水しない建物基礎の排水構造を提供することである。
【００１２】
【課題を解決するための手段】
本発明は、上記課題を解決するためになされたものであって、請求項１に記載の発明は、建物の周囲に設けられた布基礎と、この布基礎の内側の地面を覆った土間コンクリートとからなる建物基礎の排水構造であって、前記布基礎には、内側から外側まで貫通した通孔が設けられ、この通孔には、蓋体が外側から着脱可能に取り付けられているものである。
【００１３】
本発明における建物基礎は、布基礎と、この布基礎の内側の地面を覆った土間コンクリートとからなるが、これは、布基礎と、この布基礎の内側に土間コンクリートとがあればよいことを意味している。従って、予め、布基礎を設け、この布基礎の内側に土間コンクリートを設けてもよいし、予め、布基礎の部分とこの内側に土間コンクリートを設け、この土間コンクリートの周縁部（布基礎を設置予定部）の上に布基礎を設けてもよい。換言すると、布基礎と土間コンクリートとの接合部分では、どちらを勝ちにした状態にしてもよい。
【００１４】
本発明における布基礎は建物の周囲に設けるものである。この布基礎の断熱性をよくすると、建物の中を暖房したときには、熱が外側に漏れ難いし、建物の中を暖房したときには、熱が外側から入り難くなり好ましい。
このように布基礎の断熱性をよくするには、基礎本体の内側または外側に断熱材を取り付けた布基礎にしたり、基礎本体の内部に断熱材を設けた布基礎とするとよい。
【００１５】
基礎本体に断熱材を設けるときには、請求項３記載のように、基礎本体の内側に断熱材を設けると、外側から断熱材が見えず好ましい。
また、基礎本体の中に断熱材を設ける場合には、請求項４記載のように、金属製の板体の間に断熱材を充填するとよい。
この発明における蓋体とは、通孔を塞ぐものであって、通孔の中に差し込んで塞ぐ栓のような蓋体であってもよいし、通孔の周囲に筒状の突出部を設け、この筒状の突出部の先端に取り付ける蓋であってもよい。
【００１６】
そして、この発明においては、この蓋体は通孔に外側から着脱可能に取り付けられているが、この際、この蓋体が通孔に水密に取り付けられていると、布基礎より外側に溜まった水の水位が通孔より高くなっても、この外側に溜まった水が通孔を通って内側に浸入しないので好ましい。
このように蓋体を通孔に水密に取り付ける手段としては、種々ある。
【００１７】
例えば、通孔の中に水密に差し込む蓋体では、この蓋体を通孔に強固に押し込んで水密にしてもよいし、蓋体と通孔の壁との間に板状のシール材を挟んで水密にしてもよいし、蓋体と通孔との間に液状のシール材を注入してもよい。
特に、蓋体と通孔の壁との間に板状のシール材を挟んで水密にする手段が簡単で、しかも、確実に水密にすることができるので、好ましい。
【００１８】
かかるシール材としては、ポリエチレン樹脂、ポリエチレン樹脂、エチレンプロピレン共重合樹脂、ＰＦＡやＰＴＦＡ等のフッ素樹脂等の合成樹脂、ブチルゴム、イソプロピレンゴム、シリコーンゴム、イソプレンゴム等の合成ゴムや天然ゴム等を挙げることができる。
【００１９】
この蓋体と通孔の壁との間に板状のシール材を挟んで水密にする手段としては、棒状の蓋体の外周にテフロン（登録商標）テープ等のシール材を巻き、この蓋体を通孔に押し込んで水密にしてもよいが、通孔を、入口の径を大きく、途中で壁に段部を設けて径を小さくした構造にし、蓋体を、通孔の入口を通過する部分と、この部分の先端に段部を設け、この段部の先端に小さい径の通孔を通過する部分とからなる構造にしていて、蓋体を通孔の中に挿入する際に、この通孔の段部と蓋体の段部との間にリング状のシール材を設け、蓋体の段部を通孔の段部に押し付けて、シール材を挟圧して水密にすると、簡単に、且つ、確実に水密にすることができるので好ましい。
【００２０】
この際、押し付ける手段としては、通孔の内壁に雌ネジを設け、蓋体に雄ネジを設けていて、通孔の段部と蓋体の段部との間にシール材を挟んだ状態にして、蓋体を通孔に螺入し巻き締めて、この通孔の段部と蓋体の段部とでシール材を挟圧して水密にしてもよいし、通孔の段部にネジ孔を設け、蓋体に通孔を設けていて、この通孔の段部と蓋体の段部との間にリング状のシール材を挟んだ状態にして、蓋体を通孔の中に挿入し、ビスを蓋体の通孔から通孔のネジ孔に螺入し巻き締めて、このシール材を蓋体の段部と通孔の段部とで挟圧して水密にしてもよい。
【００２１】
この際、使用するビスとしては、耐蝕性の良好な材質で製造されたものが好ましい。かかる材質としては、ステンレス鋼やメッキを施した金属や合成樹脂等を挙げることができる。
このように水密にするためには、通孔の壁を平滑にすると、容易に水密にすることができるので好ましい。
このように通孔の壁を平滑にする手段としては種々あるが、平滑な面を有する筒体を製造し、この筒体を通孔に取り付けると、通孔の壁を平滑にし易いので好ましい。
【００２２】
そして、本発明においては、通孔や筒体が設けられた通孔に蓋体が取り付けられている。
かかる筒体や蓋体としては、長時間、屋外に曝されるので、耐久性、耐水性のよい材料で成形されたものが好ましい。かかる材質としては、コンクリート、セラミック、ＡＬＣ等の無機材料、ステンレス鋼、アルミニウム等の金属材料、塩化ビニル樹脂、ポリプロピレン樹脂、アクリル系樹脂、ポリカーボネート樹脂等の合成樹脂等を挙げることができる。
【００２３】
特に、金属材料の場合には、ステンレス鋼のような耐蝕性のよい合金や表面に塗装を施して耐久性を向上させたものが好ましい。
そして、これ等の材料を単独または組み合わせて使用してもよい。
また、蓋体の断熱性を高めると、室内を冷暖房したときに、蓋体を通った熱の移動が少なくなるので、冷暖房の負荷が少なくなり好ましい。
【００２４】
かかる断熱性を高めるには、上記材料で外側だけを製造し、内部にガラスウール、ロックウール、ポリスチレン樹脂発泡体等の断熱材を充填するとよい。
また、この蓋体の外側面と布基礎の外側面とを略面一にすると、外観がよく、好ましい。
【００２５】
請求項２記載の発明は、請求項１記載の発明に係り、前記土間コンクリートは、表面を布基礎の外側の地面より高くした状態に設けられ、前記通孔は、下側縁を土間コンクリートの表面と略同じ高さか若干低くした状態に設けられているものである。
【００２６】
請求項３記載の発明は、請求項１記載の発明に係り、前記布基礎は、コンクリート製の基礎本体と、この基礎本体の内側に設けられた断熱材とからなるものである。
【００２７】
請求項４記載の発明は、請求項１記載の発明にかかりり、前記布基礎は、外側と内側に設けられた略平行な２枚の金属製の板体と、この２枚の金属製の板体の間に充填された断熱材とからなるものである。
【００２８】
（作用）
請求項１記載の発明では、建物の周囲に設けられた布基礎と、この布基礎の内側の地面を覆った土間コンクリートとからなる建物基礎の排水構造であって、前記布基礎には、内側から外側まで貫通した通孔が設けられ、この通孔には、蓋体が外側から着脱可能に取り付けられているので、土間コンクリートが地盤と床下空間とを遮っていて、地盤から侵入する湿気や白蟻等を防ぐことができる。
【００２９】
そして、周囲の布基礎と土間コンクリートとで囲まれた空間の中に水が浸入したときには、この布基礎に設けられている蓋体を開けると、水がこの布基礎の通孔から外側に流れ出る。
従って、土間コンクリートに溜まった雨水を排水するには、雨水の中に手を入れる必要がなく、蓋体を外側方向から取り外せば、土間コンクリートの表面より低い布基礎の外側の地面に流れ出るので、極めて便利である。
また、土間コンクリートに溜まった水の水圧がかかっていても、この水圧は外側方向にかかっているので、蓋体を取り外し難くない。
【００３０】
また、通孔の先端部分には、地盤がないので、地盤が粘度や岩盤のように不透水性であったり、雨水によって水が飽和していても、排水速度に関係ない。従って、蓋体を外して、速やかに排水することができる。
このように速やかに排水することができるので、施工中の場合には、早急に施工を開始することができるし、施工後では、床下空間が、長時間、多湿状態にならず、建物が痛み難い。
【００３１】
また、布基礎に設けられている通孔には蓋体が取り付けられていて、この蓋体が通孔を塞いでいる。従って、外側から一寸見ただけでは通孔が見えず外観がよいし、布基礎と土間コンクリートで囲まれている空間と外側とが、この布基礎と蓋体とで遮られていて、熱の出入が少なくなり、夏期等で、建物の内部を冷房したときには、冷房負荷が少なくなるし、冬期等で、建物の内部を暖房したときには、暖房負荷が少なくなる。
【００３２】
請求項２記載の発明では、請求項１記載の発明に係り、前記土間コンクリートは、表面を布基礎の外側の地面より高くした状態に設けられ、前記通孔は、下側縁を土間コンクリートの表面と略同じ高さか若干低くした状態に設けられているので、通孔の蓋体を取り外すと、土間コンクリートの上に溜まったすべての水が最も低い位置にある通孔から速く流れ出る。
従って、施工中の場合には、施工を早急に開始することができるし、施工後では、床下空間が、長期間、多湿状態にならず、建物が痛み難い。
【００３３】
請求項３記載の発明では、請求項１記載の発明に係り、前記布基礎は、コンクリート製の基礎本体と、この基礎本体の内側に設けられた断熱材とからなるので、この布基礎は断熱材によって断熱性がよい。
このように、床下空間と布基礎の外側とが、この断熱性のよい布基礎で遮断され、この布基礎を通る熱の出入が少なくなり、その結果、夏期等で、建物の内部を冷房したときには、冷房負荷が少なくなるし、冬期等で、建物の内部を暖房したときには、暖房負荷が少なくなる。
また、断熱材は基礎本体の内側に設けられていて、外側から見えないので、美麗である。
【００３４】
請求項４記載の発明では、請求項１記載の発明に係り、前記布基礎は、外側と内側に設けられた略平行な２枚の金属製の板体と、この２枚の金属製の板体の間に充填された断熱材とからなるので、この布基礎は断熱材によって断熱性がよくなる。
【００３５】
このように、床下空間と布基礎の外側とが、この断熱性のよい布基礎で遮断され、この布基礎を通る熱の出入が少なくなり、その結果、夏期等で、建物の内部を冷房したときには、冷房負荷が少なくなるし、冬期等で、建物の内部を暖房したときには、暖房負荷が少なくなる。
しかも、屋外から見ると、この布基礎の外側面に設けられている金属製の板体が見えるだけであり、外観がスッキリした形状になり、美麗である。
【００３６】
【発明の実施の形態】
以下、本発明の実施の形態を実施例で説明する。
（実施例１）
図１及び図２は本発明の一実施例を示すもので、図１は建物を示す斜視図、図２は図１のＡ部分の建物基礎を示す断面図である。
【００３７】
図１及び図２において、Ｈは建物であり、この建物Ｈは、図１に示すように、建物基礎１とこの建物基礎１の上に建てられた建物本体９とからなる。
建物基礎１は、図２に示すように、布基礎２と、この布基礎２の内側の地面を覆った土間コンクリート３とからなる。
布基礎２は厚み１５０ｍｍのコンクリート製の板状体の基礎本体２１と、この基礎本体２１の内側に接着剤で接着されて取り付けられた厚み２５ｍｍのポリスチレン樹脂発泡体の断熱材２５とからなる。
なお、このポリスチレン樹脂発泡体は押出法で製造されたものである。
【００３８】
土間コンクリート３は布基礎２の下方部分とこの布基礎２の内側の地面とを覆た部分とにコンクリートを流し込んで固化させたものであり、この土間コンクリート３の表面は、布基礎２の外側の地面８より高くなっている。
そして、この布基礎２の図１のＡ部分（東西の２箇所）には、図２に示すように、内側から外側まで貫通した通孔２２が設けられている。
この通孔２２は、内径が略５１ｍｍで、中央部で段状に拡径されて、外径が６１ｍｍとなっている。そして、この通孔２２の内側の下側縁は、土間コンクリート３の上面と略等しい高さになっている。
【００３９】
そして、この通孔２２の基礎本体２１の部分には筒体４が挿入されて、表面が平滑になっている。
この筒体４は、外径が略５１ｍｍ、内径が略４５ｍｍの小口径部４１と、外径が略６１ｍｍ、内径が５３ｍｍの大口径部４２と、この小口径部４１と大口径部４２の境界の中央部が段状に拡径された段部４３とからなる塩化ビニル樹脂ライニング鋼管である。そして、この大口径部４２には雌ネジ４２１が設けられている。
【００４０】
更に、この筒体４には、蓋体５が取り付けられている。
蓋体５は、筒体４の中に螺入されたもので、外径が略４５ｍｍで先端にゆくに従って若干細くなっている小口径部５１と、外径が略５３ｍｍで筒体４の大口径部４２に螺合する雄ネジ５２１を有する大口径部５２と、この小口径部５１と大口径部５２の境界の中央部が段状に拡径された段部５３とからなる。
この蓋体５は、上記形状に成形された塩化ビニル樹脂製の被覆５５と、この塩化樹脂製の被覆５５の中に充填されているガラスウールの断熱材５６とからなる。
【００４１】
そして、この蓋体５は筒体４の中に挿入され、蓋体５の雄ネジ５２１が筒体４の雌ネジ４２１に螺合されて取り付けられている。このように蓋体５を筒体４に取り付けると、蓋体５の外側面は基礎本体２１の外側面と略面一になるようになっている。
６はシリコーンゴム製のシール材であり、このシール材６は、筒体４の段部４３と略同じ面を有する厚み略３ｍｍのリング状の板状体であり、筒体４の段部４３と蓋体５の段部との間に設けられ、挟圧されている。
【００４２】
次に、この建物Ｈの施工方法及び建物基礎１の作用について説明する。
従来と同様にして、布基礎２の部分とこの布基礎２の内側の部分の地面を掘り、周囲に型枠を設け、この型枠の中にコンクリートを流し込み、固化したら型枠を取り除いて、コンクリート製の土間コンクリート３を設ける。
この際、土間コンクリート３の表面を地面８より高くする。
【００４３】
次に、布基礎２を設ける予定の場所に、所定の高さに、筒体４を保持した型枠を設け、この型枠の中にコンクリートを流し込み、このまま暫く放置してコンクリートが固化したら、型枠を取り外す。
通孔２２が形成されると同時に、この通孔２２に筒体４が取り付けられた基礎本体２１になる。
この際、筒体４の下側縁を土間コンクリート３の表面を略同じ高さにする。また、筒体４の屋外側面を基礎本体２１の外側面と略面一にする。
【００４４】
次に、この基礎本体２１の内側に断熱材２５を接着剤で接着し、筒体４の延長線上にある断熱材２５に通孔２２を設ける。
すると、基礎本体２１に設けられている筒体４の中心孔が布基礎２の外側から内側まで貫通した通孔２２となる。
【００４５】
次に、環状のシール材６を蓋体５の先端から挿入し、このシール材６が挿入された蓋体５をこの筒体４の中に外側から螺入して、巻き締める。
このようにして完成した建物基礎１では、シール材６が蓋体５の段部５３と筒体４の段部４３とで挟圧されて、この部分が水密になるし、蓋体５の屋外面と基礎本体２１の屋外面とが略面一になり、建物基礎１が完成する。
このように、筒体４と蓋体５の屋外面が基礎本体２１の屋外面と略面一になっているので、一寸見ただけでは、ここに通孔２２や筒体４や蓋体５があることが判らず、美麗である。
【００４６】
次に、この布基礎２の上に、従来と同様にして、建物本体９を建てると建物Ｈが完成する。
この建物基礎１では、土間コンクリート３が地盤と床下空間とを遮って、地盤から侵入する湿気や白蟻等を防ぐ。
そして、周囲の布基礎２と土間コンクリート３とで囲まれた床下空間の中に水が浸入したときには、蓋体５を通孔２２螺出させて取り外す。
すると、土間コンクリート３の表面より低い布基礎２の外側の地面に、土間コンクリート３の表面と略同じ高さの通孔２２から床下空間のすべての水が速く流出する。
【００４７】
しかも、通孔２２の先端部分には、地盤でないので、地盤が粘度や岩盤のように不透水性であったり、雨水によって水が飽和していても関係なく、蓋体を外すと、速やかに排水される。
このように速く流出するので、施工中の場合には、早急に施工開始することができるし、施工後では、床下空間が、長時間、多湿状態にならず、建物が痛み難い。
【００４８】
このように、土間コンクリート３の上に溜まった雨水を排水するには、蓋体５を屋外から取り外すだけでよく、雨水の中に手を入れる必要がなく、極めて便利である。
この際、土間コンクリート３には、この上に溜まった水によって水圧がかかるが、この水圧は外側方向にかかるので、蓋体５を取り外し難くない。
【００４９】
また、この建物基礎１では、布基礎２がコンクリート製の基礎本体２１と、この基礎本体２１の内側に設けられた断熱材２５とからなるし、蓋体５が塩化ビニル樹脂製の被覆５５と、この被覆５５の中に充填されているガラスウールの断熱材５６とからなり、両者とも断熱性がよいので、建物Ｈの床下空間と布基礎２の外側とは、この断熱性のよい布基礎２と蓋体５で遮断され、この布基礎２を通る熱の出入が少なくなる。
従って、夏期等で、建物Ｈの内部を冷房したときには、冷房負荷が少なくなるし、冬期等で、建物Ｈの内部を暖房したときには、暖房負荷が少なくなる。
【００５０】
（実施例２）
図３は本発明の他の実施例を示すもので、建物基礎を示す断面図である。
【００５１】
図３に示す実施例２を図１及び図２に示す実施例１とを比較すると、建物基礎２ａの基礎本体２１ａに設けられている通孔２２ａと蓋体５ａの構造が異なるので、この部分を中心にして説明する。
布基礎２ａには、実施例１と同様に、東西２箇所に通孔２２ａが設けられている。
【００５２】
この通孔２２ａには、図３に示すように、筒体４ａが挿入されて、表面が平滑になっている。
この筒体４ａは、外径が略５１ｍｍ、内径が略４５ｍｍの筒体本体４１ａと、この筒体本体４１ａの屋外側に鍔が設けられて形成された段部４３ａとからなる。そして、この段部４３ａには、ネジ孔４３１ａが設けられている。
【００５３】
蓋体５ａは、筒体４ａの中に挿入されるもので、外径が略４５ｍｍの小口径部５１ａと、外径が略５３ｍｍの大口径部５２ａと、この小口径部４１ａと大口径部４２ａの境界の中央部が段状に拡径された段部５３ａとからなる。そして、大口径部５２ａには通孔５２１ａが設けられている。
この蓋体５ａは、上記形状に成形されたステンレス鋼管５５ａと、このステンレス鋼管５５ａの中に充填されているガラスウールの断熱材５６ａとからなる。
【００５４】
次に、この建物の施工方法及び建物基礎１ａの作用について説明する。
従来と同様にして、布基礎２ａの部分とこの布基礎２ａの内側の部分の地面を掘り、周囲に型枠を設け、この型枠の中にコンクリートを流し込み、固化させて、コンクリート製の土間コンクリート３ａを設ける。
この際、土間コンクリート３ａの表面を布基礎２ａの外側の地面８ａより高くする。
【００５５】
次に、所定の高さに、筒体４と、この筒体４の外側延長部分に蓋体５ａの大口径部４２ａと略同じ大きさの型材を保持した型枠を設け、この型枠の中にコンクリートを流し込み、このまま暫く放置してコンクリートが固化したら、型枠を取り外し、型材を取り外す。
すると、布基礎２ａに通孔２２ａが形成されると当時に、この布基礎２ａの通孔２２ａに筒体４ａが取り付けられた基礎本体２１ａとなる。
【００５６】
この際、筒体４ａの下側縁を土間コンクリート３ａの表面と略同じ高さにする。
次に、この基礎本体２１ａの内側に断熱材２５ａを接着剤で接着し、筒体４の延長線上にある断熱材２５ａに通孔２２ａを設ける。
すると、基礎本体２１ａに設けられている筒体４ａの中心孔が布基礎２ａの外側から内側まで貫通した通孔２２ａとなる。
【００５７】
次に、シール材６ａを蓋体５ａの先端から挿入し、このシール材６が挿入された蓋体５ａをこの筒体４ａの中に外側から蓋体５ａを挿入し、筒体４ａの通孔４２１ａにステンレス（ＳＵＳ３０４）製のビス７ａを通し、ネジ孔４３１ａに螺入し、巻き締める。
すると、シール材６ａが蓋体５ａの段部５３ａと筒体４ａの段部４３ａとで挟圧されて、この部分が水密になるし、蓋体５ａの表面と布基礎２ａの表面とが略面一になり、建物基礎１ａが完成する。
【００５８】
次に、この布基礎２ａの上に、従来と同様にして、建物本体を建てると、建物が完成する。
この建物基礎１ａでは、土間コンクリート３ａが地盤と床下空間とを遮って、地盤から侵入する湿気や白蟻等を防ぐ。
そして、周囲の布基礎２ａと土間コンクリート３ａとで囲まれた床下空間の中に水が浸入したときには、通孔２１ａの蓋体５ａを取り外す。
【００５９】
すると、土間コンクリート３ａの表面より低い布基礎２ａの外側の地面に、土間コンクリート３ａの表面と略同じ高さの通孔２２ａから、布基礎２ａと土間コンクリート３ａで囲まれた床下空間のすべての水が速く流出する。
しかも、通孔２２ａの先端部分には、地盤でないので、地盤が粘度や岩盤のように不透水性であったり、雨水によって水が飽和していても関係なく、蓋体５ａを外して、速やかに排水することができる。
【００６０】
このように速く排水できるので、施工中の場合には、早急に施工開始することができるし、施工後では、床下空間が、長時間、多湿状態にならず、建物が痛み難い。
このように、土間コンクリート３ａの上に溜まった雨水を排水するには、雨水の中に手を入れる必要がなく、蓋体５ａを屋外から取り外せばよく、極めて便利である。
この際、土間コンクリート３ａには、この上に溜まった水による水圧がかかっているが、水圧は外側方向にかかるので、蓋体５ａを取り外し難くない。
【００６１】
また、この建物基礎１ａでは、布基礎２ａがコンクリート製の基礎本体２１ａと、このコンクリート製の基礎本体２１ａの内側に設けられた断熱材２５ａとからなるし、蓋体５ａが塩化ビニル樹脂製の被覆５５ａと、この塩化樹脂製の被覆５５ａの中に充填されているガラスウールの断熱材５６ａとからなり、両者とも断熱性がよいので、建物の床下空間と布基礎２ａの外側とは、断熱性のよい布基礎２ａと蓋体５ａで遮断される。
従って、夏期等で、建物の内部を冷房したときには、冷房負荷が少なくなるし、冬期等で、建物の内部を暖房したときには、暖房負荷が少なくなる。
【００６２】
（実施例３）
図４は本発明の別の実施例を示すもので、建物基礎を示す断面図である。
【００６３】
図４に示す実施例３を図３に示す実施例２とを比較すると、布基礎２ｂの構造と、土間コンクリート３ｂが布基礎２ｂの内側にのみ設けられていることが異なるので、この異なる部分を中心にして説明する。
布基礎２ｂは、外側と内側に設けられた略平行な２枚の金属製の板体２３ｂと、この２枚の金属製の板体２３ｂの間に充填された断熱材２６ｂとからなる。
そして、この布基礎２ｂには、実施例１と同様に、東西の２箇所に通孔２２ｂが設けられ、この通孔２２ｂの外周には、金属製の板体２３ｂが延設された筒体４ｂが設けられている。
【００６４】
この筒体４ｂは、小口径部４１ｂと、大口径部４２ｂと、この小口径部４１ｂと大口径部４２ｂと間に設けられた段部４３ｂとからなる。そして、この段部４３ｂには、ネジ孔４３１ｂが設けられている。
その他の構造は実施例２と略同じであるので、説明を省略する。
【００６５】
次に、この建物の施工方法及び建物基礎１ｂの作用について説明する。
布基礎２ｂを工場で製造し、この布基礎２ｂを施工現場に運搬する。
施工現場では、布基礎２ｂの設置予定場所とこの布基礎２ｂの内側の場所の地面を掘り、工場で製造した布基礎２ｂを設け、この布基礎２ｂの内側にコンクリートを流し込み、固化させて、土間コンクリート３ｂを設ける。
この際、土間コンクリート３ｂの表面を布基礎２ｂの外側の地面８ｂより高くする。
【００６６】
次に、シール材６ｂを蓋体５ｂの先端から挿入し、このシール材６ｂが挿入された蓋体５ｂを通孔２２ｂの中に挿入し、蓋体５ｂの通孔５２１ｂにステンレス（ＳＵＳ３０４）製のビス７ｂを通し、筒体４ｂの段部４３ｂにネジ孔４３１ｂに螺入し、巻き締める。
すると、シール材６ｂが蓋体５ｂの段部５３ｂと筒体４ｂの段部４３ｂとで挟圧されて、この部分が水密になるし、蓋体５ｂの表面と布基礎２ｂの表面とが略面一になり、建物基礎１ｂが完成する。
次に、この布基礎２ｂの上に、従来と同様にして、建物を建てる。
【００６７】
このようにして完成した建物基礎１ｂでは、布基礎２ｂの外側面にはステレス製の板体２３ｂが設けられていて、外側から見ると、この布基礎２ｂの外側に設けられている板体２３ｂが見えるだけで、外観がスッキリした形状で、美麗であることが異なる。
その他の作用は、実施例２と略同じであるので、説明を省略する。
【００６８】
以上、この発明の実施の形態を実施例で詳細に説明したが、具体的な構成は、この実施例に限られるものではなく、この発明の要旨を逸脱しない範囲の設計の変更等があっても、この発明に含まれる。
例えば、この実施例では、布基礎に設ける通孔の下側縁が土間コンクリートの表面と略同じ高さになっているが、土間コンクリートの表面より低い位置になっていてもよい。
【００６９】
また、この実施例では、蓋体が通孔に水密に取り付けられているが、布基礎より外側に溜まった水の水位が通孔より高くならない場所では、水密にする必要がない。
また、この実施例では通孔に筒体が取り付けられているが、通孔の内面が平滑である場合や、通孔と蓋体との間を水密にする必要がない場合には、筒体を取り付けなくともよい。
【００７０】
また、この実施例では、断熱材を設けている布基礎について説明したが、布基礎の断熱性をよくする必要がない場合には、この断熱材を設ける必要がない。
また、蓋体の外側面を布基礎の屋外面と面一にしているが、外観を気にする必要がない場合には、面一にしなくともよい。
【００７１】
【発明の効果】
以上説明してきたように、請求項１記載の発明は、建物の周囲に設けられた布基礎と、この布基礎の内側の地面を覆った土間コンクリートとからなる建物基礎の排水構造であって、前記布基礎には、内側から外側まで貫通した通孔が設けられ、この通孔には、蓋体が外側から着脱可能に取り付けられているから、土間コンクリートが地盤と床下空間とを遮っていて、地盤から侵入する湿気や白蟻等を防ぐことができる。
【００７２】
そして、周囲の布基礎と土間コンクリートとで囲まれた床下空間の水が浸入したときには、この布基礎に設けられている蓋部を屋外側から開ける。すると、水がこの布基礎の通孔から土間コンクリートの表面より低い布基礎の外側の地面に流れ出るので、極めて便利である。
また、土間コンクリート面に溜まった水圧がかかっていても、水圧は外側方向にかかり、蓋体を取り外し難くない。
【００７３】
また、通孔の先端部分には、地盤でないので、地盤が粘度や岩盤のように不透水性であったり、雨水によって水が飽和していても、蓋体を外して、速やかに排水することができ、施工中の場合には、早急に施工開始することができるし、施工後では、床下空間が、長時間、多湿状態にならず、建物が痛み難い。
また、布基礎に設けられている通孔には蓋体が取り付けられていて、通孔が塞がれ、外観がよくなるし、布基礎と土間コンクリートで囲まれている空間と外側とが布基礎によって遮られていて、熱の出入が少なくなり、夏期等で、建物の内部を冷房したときには、冷房負荷が少なくなるし、冬期等で、建物の内部を暖房したときには、暖房負荷が少なくなる。
【００７４】
請求項２記載の発明は、請求項１記載の発明に係り、前記土間コンクリートは、表面を布基礎の外側の地面より高くした状態に設けられ、前記通孔は、下側縁を土間コンクリートの表面と略同じ高さか若干低くした状態に設けられているから、通孔の蓋体を取り外すと、土間コンクリートの上に溜まったすべての水が最も低い位置にある通孔から土間コンクリートの表面より低い布基礎の外側の地面に速く流れ出る。
従って、施工中の場合には、施工を早急に開始することができるし、施工後では、床下空間が、長期間、多湿状態にならず、建物が痛み難い。
【００７５】
請求項３記載の発明は、請求項１記載の発明に係り、前記布基礎は、コンクリート製の基礎本体と、この基礎本体の内側に設けられた断熱材とからなるから、この布基礎は断熱材によって断熱性がよい。従って、夏期等で、建物の内部を冷房したときには、冷房負荷が少なくなるし、冬期等で、建物の内部を暖房したときには、暖房負荷が少なくなる。
【００７６】
請求項４記載の発明は、請求項１記載の発明にかかりり、前記布基礎は、外側と内側に設けられた略平行な２枚の金属製の板体と、この２枚の金属製の板体の間に充填された断熱材とからなるから、この布基礎は断熱材によって断熱性がよい。従って、夏期等で、建物の内部を冷房したときには、冷房負荷が少なくなるし、冬期等で、建物の内部を暖房したときには、暖房負荷が少なくなる。
しかも、この布基礎の外側面には金属製の板体が見えるだけであり、外観がスッキリした形状で、美麗である。
【図面の簡単な説明】
【図１】本発明の一実施例を示すもので、ユニット建物を示す斜視図である。
【図２】図１のＡ部分の建物基礎を示す断面図である。
【図３】本発明の他の実施例を示すもので、建物基礎を示す断面図である。
【図４】本発明の別の実施例を示すもので、建物基礎を示す断面図である。
【符号の説明】
Ｈ                建物
１、１ａ          建物基礎
２、２ａ、２ｂ    布基礎
２１、２１ａ      基礎本体
２２、２２ａ、２２ｂ      通孔
２３ｂ            板体
２５、２５ａ      断熱材
２６ｂ            断熱材
３、３ａ、３ｂ    土間コンクリート
４、４ａ、４ｂ    筒体
５、５ａ、５ｂ    蓋体
６、６ａ、６ｂ    シール材
【図１】
2005023587.tif 000003
【図２】
2005023587.tif 000004
【図３】
2005023587.tif 000005
【図４】
2005023587.tif 000006